(57)【要約】【課題】運転者の視界の邪魔にならずにルームミラーへ電力を供給できる車両用ルームミラーのワイヤレス給電システムを提供する。【解決手段】ワイヤレス給電システム１は、車両１０のフロントガラス２に取り付けられたルームミラー３に設けられる受電コイル９と、この受電コイル９に非接触状態で電力を送信可能な車両１０内の位置、より詳細にはルーフ部４に設けられる送電コイル８と、を備え、受電コイル９により受電された電力をルームミラー３内の各種装置に供給する。これにより、ルームミラー３がフロントガラス２上に直接取り付けられるタイプであっても、フロントガラス２上に配線を配置する必要がないので、運転者の視界の邪魔にならずにルームミラー３へ電力を供給することが可能となる。【選択図】図１
2015101244.tif 000002
【特許請求の範囲】
【請求項１】
車両のフロントガラスに取り付けられたルームミラーに設けられる受電部と、
前記受電部に非接触状態で電力を伝送可能な前記車両内の位置に設けられる送電部と、
を備え、
前記受電部により受電された前記電力を前記ルームミラー内の各種装置に供給することを特徴とする車両用ルームミラーのワイヤレス給電システム。
【請求項２】
前記送電部が、前記車両の前記フロントガラスの上方に配置されたルーフ部に設けられることを特徴とする、請求項１に記載の車両用ルームミラーのワイヤレス給電システム。
【請求項３】
前記送電部が、前記車両の前記フロントガラスの下方に配置されたインストルメントパネル部に設けられることを特徴とする、請求項１に記載の車両用ルームミラーのワイヤレス給電システム。
【請求項４】
前記ルームミラーは、取り付け軸によって前記フロントガラスに回動可能に支持されており、
前記受電部が、前記ルームミラーの回動中心を含む領域に設けられることを特徴とする、請求項１〜３のいずれか１項に記載の車両用ルームミラーのワイヤレス給電システム。
【請求項５】
前記受電部が、前記送電部と対向する前記ルームミラーの面の全域に亘り設けられることを特徴とする、請求項１〜４のいずれか１項に記載の車両用ルームミラーのワイヤレス給電システム。
【発明の詳細な説明】
【技術分野】
【０００１】
本発明は、車両用ルームミラーのワイヤレス給電システムに関する。
【背景技術】
【０００２】
自動車等の車両のルームミラーには、例えばモニターや自動防眩機能などを搭載し、電源が必要となっているものがある。このようなルームミラーには給電線を接続する必要がある。また、近年のルームミラーは、その取り付け位置が車体ではなく、前面窓ガラス（フロントガラス、ウィンドシールド）上にあるものが増えている。このため、車両の本体側とルームミラー間のフロントガラス上に有線配線が必要となる（例えば特許文献１を参照）。
【先行技術文献】
【特許文献】
【０００３】
【特許文献１】特開２０１２−２２４１２１号公報
【発明の概要】
【発明が解決しようとする課題】
【０００４】
しかしながら、従来のフロントガラスに設置されたルームミラーへ電力を供給するための有線配線は、フロントガラスの中央近傍に配置されるため、運転者の視界の邪魔になる虞があり、また、配線の見栄えが損なわれる場合もあった。
【０００５】
本発明は、上記に鑑みてなされたものであって、運転者の視界の邪魔にならずにルームミラーへ電力を供給できる車両用ルームミラーのワイヤレス給電システムを提供することを目的とする。
【課題を解決するための手段】
【０００６】
上記の課題を解決するため、本発明に係る車両用ルームミラーのワイヤレス給電システムは、車両のフロントガラスに取り付けられたルームミラーに設けられる受電部と、前記受電部に非接触状態で電力を伝送可能な前記車両内の位置に設けられる送電部と、を備え、前記受電部により受電された前記電力を前記ルームミラー内の各種装置に供給することを特徴とする。
【０００７】
また、上記の車両用ルームミラーのワイヤレス給電システムにおいて、前記送電部が、前記車両の前記フロントガラスの上方に配置されたルーフ部に設けられることが好ましい。
【０００８】
また、上記の車両用ルームミラーのワイヤレス給電システムにおいて、前記送電部が、前記車両の前記フロントガラスの下方に配置されたインストルメントパネル部に設けられることが好ましい。
【０００９】
また、上記の車両用ルームミラーのワイヤレス給電システムにおいて、前記ルームミラーは、取り付け軸によって前記フロントガラスに回動可能に支持されており、前記受電部が、前記ルームミラーの回動中心を含む領域に設けられることが好ましい。
【００１０】
また、上記の車両用ルームミラーのワイヤレス給電システムにおいて、前記受電部が、前記送電部と対向する前記ルームミラーの面の全域に亘り設けられることが好ましい。
【発明の効果】
【００１１】
本発明に係る車両用ルームミラーのワイヤレス給電システムによれば、車両の本体側の送電部からルームミラー側の受電部に非接触で電力を伝送することができるので、車両の本体側とルームミラーとの間に電力供給のための有線配線を物理的に接続することが不要となる。このため、ルームミラーがフロントガラス上に直接取り付けられるタイプであっても、フロントガラス上に配線を配置する必要がなくなる。この結果、本発明に係る車両用ルームミラーのワイヤレス給電システムは、運転者の視界の邪魔にならずにルームミラーへ電力を供給できるという効果を奏する。
【図面の簡単な説明】
【００１２】
【図１】図１は、本発明の第一実施形態に係る車両用ルームミラーのワイヤレス給電システムの概略構成を示す模式図である。
【図２】図２は、本発明の第二実施形態に係る車両用ルームミラーのワイヤレス給電システムの概略構成を示す模式図である。
【発明を実施するための形態】
【００１３】
以下に、本発明に係る車両用ルームミラーのワイヤレス給電システムの実施形態を図面に基づいて説明する。なお、以下の図面において、同一または相当する部分には同一の参照番号を付し、その説明は繰り返さない。
【００１４】
［第一実施形態］
まず、図１を参照して、本発明の第一実施形態について説明する。図１は、本発明の第一実施形態に係る車両用ルームミラーのワイヤレス給電システムの概略構成を示す模式図である。
【００１５】
図１に示すように、本実施形態の車両用ルームミラーのワイヤレス給電システム１（以下では単に「ワイヤレス給電システム」とも表記する）は、フロントガラス２と、車両用ルームミラー３（以下では単に「ルームミラー」とも表記する）と、ルーフ部４と、Ａピラー部５、インパネ部１１とを備える自動車等の車両１０において、車両１０の本体側からルームミラー３に対して非接触状態での電力の伝送、すなわちワイヤレス給電を行うためのシステムである。ワイヤレス給電システム１は、電源ユニット６と、給電線７と、送電コイル８（送電部）と、受電コイル９（受電部）とを備える。
【００１６】
フロントガラス２は、車両１０の車室の上方を覆うルーフ部４の前縁端から、車両１０の前方かつ下方に延在するよう形成されている。つまりルーフ部４は、フロントガラスの上方に配置されている。Ａピラー部５は、ルーフ部４を支える車両１０のピラー（柱）のうち、フロントガラス２の左右側方に配置されたものである。インパネ（インストルメントパネル）部１１は、車両１０の車室内において、フロントガラス２の下方、かつ、前席（運転席及び助手席）の正面に配置される車両１０の内装部品全体を指すものである。
【００１７】
ルームミラー３は、運転者が車両１０の後方の状態を視認するためのミラーであり、車両１０の車室内に設けられる。ルームミラー３は、ミラー本体部３ａと、取り付け軸３ｂ（回動軸）とを有する。取り付け軸３ｂは、その一端部がフロントガラス２の車室側表面に接着固定されている。ミラー本体部３ａは、取り付け軸３ｂの他端部に回動自在に取り付けられている。つまり、ルームミラー３は、車両１０のルーフ部４に取り付けられるのではなく、フロントガラス２に取り付けられている。ルームミラー３は、取り付け軸３ｂによってフロントガラス２に回動可能に支持されている。つまり取り付け軸３ｂの軸心がルームミラー３の回動中心である。ルームミラー３には、例えば各種情報を表示するモニターや自動防眩機構など、作動のために電力供給を必要とする各種装置が設置されている。
【００１８】
ワイヤレス給電システム１の電源ユニット６は、車両１０に搭載される電力供給源であり、例えばバッテリ等の蓄電装置によって構成される。電源ユニット６は、例えば車室の前方や下方など車両１０内の任意の位置に配置される。給電線７は、電源ユニット６と送電コイル８とを電気的に接続するものであり、種々のケーブル、コネクタ等によって構成される。送電コイル８は、ルーフ部４に設けられ、電源ユニット６からの電力が給電線７を介して供給される。つまり、給電線７は、車両１０内の任意の位置に搭載される電源ユニット６から、Ａピラー部５の内部を通って、ルーフ部４に設けられている送電コイル８まで延在している。送電コイル８は、電源ユニット６からの電力を受電コイル９に伝送可能である。
【００１９】
受電コイル９は、ルームミラー３に設けられ、送電コイル８と非接触の状態で送電コイル８から電力を受電可能である。受電コイル９は、ルームミラー３に設置される上述の各種装置と電気的に接続されており、電源ユニット６から給電線７及び送電コイル８を介して受電した電力をこれらの各種装置に供給する。
【００２０】
送電コイル８及び受電コイル９は、例えば共に渦巻状に巻かれた導体コイルによって構成され、軸方向に互いに対向することで、一組の非接触給電用トランスを構成する。非接触給電用トランスは、例えば、電磁誘導方式、電磁界共鳴方式等、種々の方式によって送電コイル８から受電コイル９に非接触で電力を伝送することができる。ここで、電磁誘導方式とは、送電コイル８に交流電流を流すことで発生する磁束を媒体として受電コイル９に起電力を発生させる電磁誘導を用いて、送電コイル８から受電コイル９に電力を伝送する方式である。また、電磁界共鳴方式とは、送電コイル８に交流電流を流すことで送電コイル８と受電コイル９とを特定の周波数で共鳴させ、電磁界の共鳴現象を用いて送電コイル８から受電コイル９に電力を伝送する方式である。
【００２１】
より詳細には、非接触給電用トランスでは、送電コイル８から受電コイル９に電力を伝送する場合、送電コイル８と受電コイル９とが軸方向に互いに間隔をあけて対向した状態で、電源ユニット６からの直流電流が、給電線７、インバータ等を含んで構成される送電回路等を介して、任意の周波数の交流電流に変換されて送電コイル８に供給される。送電コイル８に交流電流が供給されると、例えば、送電コイル８と受電コイル９とが電磁誘導結合し、送電コイル８からの電力が電磁誘導や電磁界共鳴により非接触で受電コイル９に受電される。受電コイル９が受電した電力は、整流器等を含んで構成される受電回路等を介して、交流電流から直流電流に変換されて、各種装置で利用される。
【００２２】
このように、本実施形態のワイヤレス給電システム１は、車両１０のフロントガラス２に取り付けられたルームミラー３に設けられる受電コイル９と、この受電コイル９に非接触状態で電力を送信可能な車両１０内の位置、より詳細にはルーフ部４に設けられる送電コイル８と、を備え、受電コイル９により受電された電力をルームミラー内の各種装置に供給する。
【００２３】
この構成により、車両１０の本体側の送電コイル８からルームミラー３側の受電コイル９に非接触で電力を伝送することができるので、車両１０の本体側とルームミラー３との間に電力供給のための有線配線を物理的に接続することが不要となる。このため、本実施形態のようにルームミラー３がフロントガラス２上に直接取り付けられるタイプであっても、フロントガラス２上に配線を配置する必要がないので、運転者の視界の邪魔にならずにルームミラー３へ電力を供給することが可能となる。また、フロントガラス２上に有線配線が無いので、ルームミラー３への電力供給の適用によって配線の見栄えが損なわれることがない。さらに、ルームミラー３との距離が近いルーフ部４に送電コイル８が設けられるので、送電コイル８と受電コイル９との距離が比較的短くなるよう両者を配置することが可能であり、ワイヤレス給電による損失を低減できる。
【００２４】
受電コイル９は、ルームミラー３の回動中心を含む領域、すなわち、取り付け軸３ｂの近傍に設けられる。つまり、受電コイル９の設置位置は、ルームミラー３のミラー本体部３ａ上において、ミラー本体部３ａの回動中心である取り付け軸３ｂにより近いことが好ましく、ルームミラー３の取り付け軸３ｂ上であることがさらに好ましい。これにより、運転者がルームミラー３を回動させた場合でも、送電コイル８と受電コイル９との間の距離が変化しにくいので、ワイヤレス給電の伝送効率の変化を抑制でき、電力の供給量を安定化させることができる。
【００２５】
［第二実施形態］
次に、図２を参照して、第二実施形態について説明する。図２は、本発明の第二実施形態に係る車両用ルームミラーのワイヤレス給電システムの概略構成を示す模式図である。
【００２６】
図２に示すように、第二実施形態のワイヤレス給電システム１ａは、送電コイル８ａが車両１０のフロントガラス２の下方に配置されたインパネ部１１に設けられる点で、第一実施形態のワイヤレス給電システム１と異なるものである。
【００２７】
本実施形態のワイヤレス給電システム１ａでは、送電コイル８ａが、車両１０のフロントガラス２の上方に配置されたルーフ部４ではなく、フロントガラス２の下方に配置されたインパネ部１１に設けられることにより、送電コイル８ａの設置位置が車両１０の車体中央側となって電源ユニット６の設置位置に近くなる。これにより、例えば、内部スペースが限定されるＡピラー部５に給電線７ａを配線する必要がなくなるなど、給電線７ａの車両１０内への取り付けの手間を低減できるので、本実施形態のワイヤレス給電システム１ａは、第一実施形態と比べて車両１０内への設置が容易となる。
【００２８】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更を行なうことができる。上記実施形態及びその変形は、発明の範囲や要旨に含まれると同様に、特許請求の範囲に記載された発明とその均等の範囲に含まれるものである。
【００２９】
上記実施形態では、ルームミラー３に設けられる受電コイル９は、ルームミラー３の回動中心を含む領域、すなわち取り付け軸３ｂの近傍に設けられる構成を例示したが、受電コイル９はルームミラー３上の任意の位置に配置されればよい。例えば、受電コイル９を、送電コイル８，８ａと対向するルームミラー３の面の全域（たとえばルームミラー３の長手方向である左右幅方向の全域）に亘るように設け、送電コイル８，８ａに対する受電コイル９の投影面積を増大させて、ワイヤレス給電の効率を向上させるよう構成してもよい。
【００３０】
また、送電コイル８，８ａと受電コイル９との対向の度合が正対（送電コイル８，８ａ及び受電コイル９の中心軸が同一となる状態）に近づくように、送電コイル８，８ａ及び受電コイル９のうち少なくとも一方の軸方向を調整して設置することで、送電コイル８，８ａに対する受電コイル９の投影面積を増大させて、ワイヤレス給電の効率を向上させるよう構成してもよい。
【００３１】
また、第一実施形態としてフロントガラス２の上方に配置されたルーフ部４に送電コイル８が設けられる構成と、第二実施形態としてフロントガラス２の下方に配置されたインパネ部１１に送電コイル８ａが設けられる構成とを例示したが、送電コイルは、受電コイル９に非接触状態で電力を伝送可能な車両１０内の任意の位置に設けられていればよく、ルーフ部４やインパネ部１１以外でもよい。
【符号の説明】
【００３２】
１，１ａ  ワイヤレス給電システム
２  フロントガラス
３  ルームミラー
３ｂ  取り付け軸
４  ルーフ部
５  Ａピラー部
６  電源ユニット
７，７ａ  給電線
８，８ａ  送電コイル（送電部）
９  受電コイル（受電部）
１０  車両
１１  インパネ部（インストルメントパネル部）
【図１】
2015101244.tif 000003
【図２】
2015101244.tif 000004